(57)【要約】  本発明は、少なくとも一つのクランプジョー（１１）を具備するカップリングに関するものであって；クランプジョー（１１）は第一エレメント（２）に取り付けることができ、第二エレメント（３）を第一エレメント（２）に対して把持することによりクランプジョー（１１）を第二エレメント（３）に接続できるようになっており、第二エレメント（３）の把持又は解放は軸（３４）に追従した並進運動によりもたらされ、一方、第二エレメントの係合又は係合解除はクランプジョー（１１）の軸（３４）周囲における回転運動にもとずくものであり、クランプジョー（１１）が、ナット（１３）に形成されたねじ山部分（１９）を有している穴（８）を備えていて、穴（１８）において、軸（３４）を形成している作動ボルト（１２）が係合されそしてクランプジョー（１１）を軸（３４）に沿った並進運動を可能にしているカップリングにおいて；作動ボルト（１２）とクランプジョー（１１）とに係合可能なトルク制限手段（２５，２８）が、クランプジョー（１１）の穴（１８）を用いて、作動ボルト（１２）の回転運動をクランプジョー（１１）に直接伝達することを可能にしていて、その結果、クランプジョー（１１）が軸（３４）周囲で回転駆動することを可能にしていることを特徴とする；カップリング。
2007522391.tif 000002
【特許請求の範囲】
【請求項１】
少なくとも一つのクランプジョー（１１）を具備するカップリングであって；前記クランプジョー（１１）は第一エレメント（２）に取り付けることができ、第二エレメント（３）を前記第一エレメント（２）に対して把持することにより前記第一エレメントを前記第二エレメント（３）に接続できるようになっており、前記第二エレメント（３）の把持又は解放は軸（３４）に追従した並進運動によりもたらされ、一方、前記第二エレメントの係合又は係合解除は前記クランプジョー（１１）の前記軸（３４）周囲における回転運動にもとずくものであり、前記クランプジョー（１１）が、ナット（１３）を形成するねじ山部分（１９）を有している穴（１８）を備えていて、前記穴（１８）において、前記軸（３４）を形成している作動ボルト（１２）が係合されそして前記クランプジョー（１１）が前記軸（３４）に沿った並進運動することを可能にしているカップリングにおいて；
前記作動ボルト（１２）と前記クランプジョー（１１）とに係合可能なトルク制限手段（２５，２８）が、前記クランプジョー（１１）の前記穴（１８）を用いて、前記作動ボルト（１２）の回転運動を前記クランプジョー（１１）に直接伝達することを可能にしていて、その結果、前記クランプジョー（１１）が前記軸（３４）周囲で回転駆動することを可能にしていることを特徴とする；
カップリング。
【請求項２】
前記トルク制限手段が、長手方向端部各々においてプッシャ（２７）を取り付けられた少なくとも一つのばねを有していることを特徴とする、請求項１に記載のカップリング。
【請求項３】
前記トルク制限手段が、前記作動ボルト又はその一部分に係合されたクランプナットに接触して前記穴の内表面をおおっている、又はその逆の、摩損材料のコーティング形状となっていることを特徴とする、請求項１に記載のカップリング。
【請求項４】
前記トルク制限手段が、摩擦の大きな材料、例えばゴムのエレメント形状であって、前記エレメントは、前記作動ボルト又は作動ボルトに係合されたクランプナットと、前記クランプジョーの前記穴との間に設置されていることを特徴とする、請求項１に記載のカップリング。
【請求項５】
前記トルク制限手段が、歯を備えていて、前記歯は、前記作動ボルトに係合されたクランプナットの外周囲に又は前記作動ボルト外周囲に対称に配置され、そして前記クランプジョーの前記穴に機械加工された溝に咬み合うようになっている、又はその逆になっていることを特徴とする、請求項１に記載のカップリング。
【請求項６】
前記トルク制限手段が、ボール形状であって、前記ボールは前記作動ボルトに係合されたクランプナットに、又は前記作動ボルト自体に収容され、そして、少なくとも一つのばねにより前記クランプジョーの前記穴の内表面又は溝に接触されている、又はその逆になっていることを特徴とする、請求項１に記載のカップリング。
【請求項７】
前記トルク制限手段が、前記作動ボルトと、前記クランプジョーの前記穴のナットを形成している部分の前記ねじ山との間の自然摩擦の結果であることを特徴とする、請求項１に記載のカップリング。
【請求項８】
ころがり軸受、特に針状ころ軸受が前記作動ボルトに取り付けられていて、前記クランプジョーの並進トラベルの終点の停止板を構成していることを特徴とする、請求項１−７のいずれか一項に記載のカップリング。
【請求項９】
前記クランプジョーが、前記第一エレメントに固定されるようになっているフレームにより並進方向にガイドされていることを特徴とする、請求項１−８のいずれか一項に記載のカップリング。
【請求項１０】
前記作動ボルトがモータ、好ましくは油圧モータにより、特に歯付きホイールを使用して駆動されていることを特徴とする、請求項１−９のいずれか一項に記載のカップリング。
【請求項１１】
前記モータが前記作動ボルトに特定されているモータであることを特徴とする、請求項１−１０のいずれか一項に記載のカップリング。
【請求項１２】
前記クランプジョー全体がＬ字形であって、前記ねじ山付き穴が前記Ｌ字形の長い方のブランチに設定されていることを特徴とする、請求項１−１１のいずれか一項に記載のカップリング。
【請求項１３】
請求項１−１２のいずれか一項に記載のカップリングを具備する、流体製品用の積荷用アーム。
【発明の詳細な説明】
【技術分野】
【０００１】
本発明はカップリング、特に積荷用アーム用のカップリングに関する。
【０００２】
公知なように、カップリングがクランプモジュールと、容器に設置された相補手段とを備えている機械式アセンブリであって、クランプモジュールは、積荷用連接アームと、荷おろし製品、特に流体製品、例えば石油製品（液化天然ガス等）との間における機械的接続及び気密性を保証するためにクランプ力を作用するようになっている。
【０００３】
より詳しくは本発明は、カップリングが、数個のクランプモジュール、一般に三つ以上のモジュールを備えた油圧カップリングであって、液体製品、特に非常に低温（−１９６℃まで）の液体製品を輸送できる場合のものを意図しているものである。
【背景技術】
【０００４】
公知の装置において、各クランプモジュールが把持用のクランプジョーと、クランプジョー用の作動装置とを備えていて、クランプジョーはアームをマニホールドのような相補手段に接続するようになっており、作動装置はモータにより駆動されるボルト／ナット式装置を備えている。
【０００５】
第一装置は出願人において公知なものであり市場で入手できるものであって、ボルト／ナット式装置を使用していて、そのボルト／ナット式装置はジャッキの作用を再現するように作られたものであって、ボルトが油圧モータによりチェーンを介して回転駆動されるようになっている。
【０００６】
装置は三本の連接棒のアセンブリを作動していて、三本の連接棒はお互いに接続されており、そのうちの二本はそれらの端部の一方を固定点に接続されている。
【０００７】
この構造形状は、カップリングを開閉するための、フランジに作用するクランプ力と、モジュール全体を傾けることとを低減可能にしている。
【０００８】
同様の原理により、連接棒なしの改善が行なわれ、設置スペースの低減と軽量化が行なわれた。この改善は特許文献１に開示されている。
【０００９】
公知である別の装置において、カップリングが直径の大きな圧縮ばねを使用していて、ばねの端部の一方がクランプジョーに接続され、そして他方は回転作動されるようになっているリングに接続されている。
【００１０】
このリングの傾斜はばねの傾斜と一致していて、ばねは、荷積用アームの相補手段のフランジを把持するクランプジョーに多少の圧力を作用するようになっている。
【００１１】
ばねは圧縮状態において最大クランプトルクを作用するようになっている。
【００１２】
リングを作動するために油圧ジャッキを使用することは、機構が反転することを意味し、かつ油圧装置の事故の場合、フランジの著しいゆるみをもたらすことを意味している。
【００１３】
別の公知のカップリングは油圧ジャッキにより回転駆動されるカムを使用している。
【００１４】
このカムは、カップリングを閉じるためにクランプジョーに荷重を作用し、そして油圧事故の場合に並列な反可逆装置と協働するようになっている。
【００１５】
別の、カップリングが、カップリングの外周囲に設置された歯付き回転ワッシャを備えたカムの原理を継続している。ワッシャが油圧ジャッキの圧力により回動し、そしてフランジを保持するための歯によりクランプジョーのアセンブリを押し付ける。
【００１６】
他の公知の装置において、カップリングが、クランプジョーを回転するために、油圧ジャッキより信頼性のあるボルト／ナット式装置を使用していて、ナットがクランプジョーに傾けて接続されている。
【００１７】
ボルトの回転が、ナットを並進運動駆動していて、ナットはクランプジョーに傾斜して取り付けられていることにより、クランプジョーをナットの並進軸に直交する軸周囲で回転させ、ボルトの回転方向に従ってフランジを把持あるいは解放するようになっている。
【００１８】
緊急操作における開操作時において装置の応答性を高めるために、緊急放出装置が並行して備えられている。
【００１９】
前述の公知の装置は、特許文献２−５に開示されている。
【００２０】
公知であり、かつ出願人が売買できるカップリングとして商標名「ＱｕｉｋｏｎＺ」がある。
【００２１】
この装置は、同一軸の周囲における回転運動と、それに沿った並進運動との二つの運動を組合わせて行なうクランプジョーを有している。
【００２２】
クランプジョー全体はＬ字形状であって、Ｌ字の水平部はフランジを把持するようになっている部分であり、Ｌ字の垂直部分（長い部分）は回転運動と並進運動とを組合わせた同一軸に一致している。
【００２３】
この長い部分が、カップリングモジュールのフレームの穴に導入されている。
【００２４】
穴におけるクランプジョーの回転のガイドはそれらの間に取り付けられたボールにより行なわれていて、そのボールは、クランプジョーの長い部分に機械加工されたヘリカル状通路内部をスライドし、そしてカップリングモジュールのフレームと一体になっている穴に設置された特別なハウジングの中に保持されている。
【００２５】
クランプジョーの操作は、クランプジョーに一体となっているナット装置と、クランプジョーに協働し適切な手段（例えば油圧モータ）により回転駆動されるボルトとを用いて行なわれる。
【００２６】
ボルト及びナットは前述の回転及び並進の軸に設置されている。
【００２７】
ボルト及びナットは、この目的のために作られた長手穴を有しているクランプジョーの長い部分の中心に設置されている。
【００２８】
前述のヘリカル状通路は、好ましい形状であって、ボルト／ナット装置の回転によりもたらされたクランプジョーの並進運動を並進運動と組合わせた回転運動に変換することを可能にしていて、これらの二つの運動はそれぞれ前述の同一軸の周囲及びそれに沿って行なわれる。
【００２９】
従って、クランプジョーの閉操作中に、クランプジョーの回転は当初から観察されるものであって、接続する二つのエレメントを迅速に接続していて、続いて前記エレメントを一体に把持することに対応する並進運動が行なわれる。
【００３０】
しかしながらボールは、例えばクランプジョーと外部エレメントとの間の衝撃によりもたらされる高圧力に耐えるようになっていない。
【００３１】
従って、ボールは永久変形又は機械的損傷を受け、そして機械加工したヘリカル状通路も損傷されるかも知れない。
【００３２】
ボール及びヘリカル状通路は厳しい条件（例えば機構における汚染物、腐蝕要因等）下での開閉による他の機械的圧力により損傷されるかも知れない。
【００３３】
さらに、そのようなヘリカル状通路を備えたクランプジョーは製作費が高価である。
【特許文献１】仏国特許出願公開第２８３４３２７号明細書
【特許文献２】欧州特許出願公開第０２８５８１３号明細書
【特許文献３】米国特許出願公開第４２２２５９１号明細書
【特許文献４】米国特許出願公開第３６６１４０８号明細書
【特許文献５】独国特許出願公開第１３９５９２８号明細書
【発明の開示】
【発明が解決しようとする課題】
【００３４】
本発明の目的は、改善されさらなる利点をもたらすカップリングを提供することである。
【課題を解決するための手段】
【００３５】
より詳しくは、本発明の目的は、少なくとも一つのクランプジョーを具備するカップリングにより達成されていて；前記クランプジョーは第一エレメントに取り付けることができ、第二エレメントを前記第一エレメントに対して把持することにより前記第一エレメントを前記第二エレメントに接続できるようになっており、前記第二エレメントの把持又は解放は軸に追従した並進運動によりもたらされ、一方、前記第二エレメントの係合又は係合解除は前記クランプジョーの前記軸周囲における回転運動にもとずくものであり、前記クランプジョーが、ナットを形成するねじ山部分を有している穴を備えていて、前記穴において、前記軸を形成している作動ボルトが係合されそして前記クランプジョーが前記軸に沿った並進運動することを可能にしているカップリングにおいて；前記作動ボルトと前記クランプジョーとに係合可能なトルク制限手段が、前記クランプジョーの前記穴を用いて、前記作動ボルトの回転運動を前記クランプジョーに直接伝達することを可能にしていて、その結果、前記クランプジョーが前記軸周囲で回転駆動することを可能にしていることを特徴とする；カップリング。
【００３６】
すなわち、クランプジョーの運動は同一軸に関する並進と回転とに分解することができ、カップリングの開操作段階及び閉操作段階におけるボルト／ナット装置の作動直後に、これらの二つの運動が組合わされることである。
【００３７】
従って、クランプジョーの閉運動は、ボルト／ナット装置による並進運動に分解され、その並進運動は、このボルトによるクランプジョーを駆動することによりボルトの軸周囲の回転運動に即刻組合わされ、第二エレメントの迅速な把持を可能にしていて、一方、並進運動は、閉運動を完了し、そしてクランプジョーによる第一エレメントに対する第二エレメントの把持を完了するまで続行される。
【００３８】
クランプジョーの開運動は同一の原理を反対にして使用していて：それはボルト／ナット装置による並進により開始され、その並進運動は、クランプジョーと第二エレメントとの間に作用するクランプ力が解除されるとすぐに、第二エレメントの係合解除のための回転運動と組合わされたものになっていて、一方並進運動はその移動の終点においてクランプジョーの開運動を完了するまで続行される。
【００３９】
従って、この装置は使用時において迅速な応答性を可能なものにしている。というのはクランプジョーの回転は短時間で行なわれクランプジョーのアクセサリに対する解放又は係合解除を可能にしているからである。
【００４０】
さらに、装置は公知のものに比較して、より簡単でより信頼性のあるものとなっている。
【００４１】
本装置の特徴は以下のとうりである。
１）前記トルク制限手段が、長手方向端部各々においてプッシャを取り付けられた少なくとも一つのばねを有している。
２）前記トルク制限手段が、前記作動ボルト又はその一部分に係合されたクランプナットに接触して前記穴の内表面をおおっている、又はその逆の、摩損材料のコーティング形状となっている。
３）前記トルク制限手段が、摩擦の大きな材料、例えばゴムのエレメント形状であって、前記エレメントは、前記作動ボルト又は作動ボルトに係合されたクランプナットと、前記クランプジョーの前記穴との間に設置されている。
４）前記トルク制限手段が、歯を備えていて、前記歯は、前記作動ボルトに係合されたクランプナットの外周囲に又は前記作動ボルト外周囲に対称に配置され、そして前記クランプジョーの前記穴に機械加工された溝に咬み合うようになっている、又はその逆になっている。
５）前記トルク制限手段が、ボール形状であって、前記ボールは前記作動ボルトに係合されたクランプナットに、又は前記作動ボルト自体に収容され、そして、少なくとも一つのばねにより前記クランプジョーの前記穴の内表面又は溝に接触されている、又はその逆になっている。
６）前記トルク制限手段が、前記作動ボルトと、前記クランプジョーの前記穴のナットを形成している部分の前記ねじ山との間の自然摩擦の結果である。
７）ころがり軸受、特に針状ころ軸受が前記作動ボルトに取り付けられていて、前記クランプジョーの並進トラベルの終点の停止板を構成している。
８）前記クランプジョーが、前記第一エレメントに固定されるようになっているフレームにより並進方向にガイドされている。
９）前記作動ボルトがモータ、好ましくは油圧モータにより、特に歯付きホイールを使用して駆動されている。
１０）前記モータが前記作動ボルトに特定されているモータである。
１１）前記クランプジョー全体がＬ字形であって、前記ねじ山付き穴が前記Ｌ字形の長い方のブランチに設定されている。
添付図面を参照した例を用いて、本発明のさらなる特徴及び利点を詳述する。
【発明を実施するための最良の形態】
【００４２】
図１及び２における実施形態において、カップリング１（ここでは油圧タイプ）がクランプジョー１１を有している。クランプモジュール１０を含んでいて、クランプジョー１１は、積荷用アーム２の端部を相補的手段（ここではフランジを備えたマニホールド）に接続するようになっていて、積荷用アーム２の端部には（ここではボルト結合により）カップリング１が取り付けられるようになっており、このクランプジョー１１のために、特別な作動装置が、ここでは歯付きホイール１４により回転駆動されるタイプのボルト１２／ナット１３装置を備えていて、その歯付きホイール１４はモータ１（ここでは油圧タイプ）軸に一体となっている第二歯付きホイール（図示せず）により駆動されており、そのモータは図示されていないが、相補手段１０のフレーム１５に取り付けられている。クランプジョー１１と作動ボルト１２との側部（図２におけるクランプジョー１１の右）に取り付けられている。
【００４３】
クランプジョー１１全体はＬ字形であって、そしてその最短のブランチ１７が、マニホールドのフランジ３を積荷用アームの前方端部２０のフランジに対して把持するためのつめを形成していて、このフレーム１４がクランプジョー１１の長い方のブランチ１６を並進させてガイドするようになっている。
【００４４】
クランプジョー１１は、さらに肩２１により二つの部分１９，２０に分割された穴１８を提供している。
【００４５】
穴１８の部分１９は、つめを形成しているブランチの反対側の端部において、クランプジョー１１のナット１３を形成する部分を通ってクランプジョー１１の外部に開口していて、そのナット１３はボルト１２と協働するようになっている。
【００４６】
クランプナット２２が、さらにボルト１２の前方端部に螺合されていて、そして針状ころ軸受２３が、クランプナット２２と、クランプジョー１１のナット１３を形成する部分に協働するようになっているボルト１２のねじ山部分との間で、このボルト１２に取り付けられている。
【００４７】
本発明において、クランプナット２２がトルクリミッタ２５を収容する横断穴２４を提供していて、そのトルクリミッタ２５はばね２６形状であって、そのばね２６は二つの長手方向端部に、穴１８の部分２０の内表面に協動可能な二つのプッシャ２７が取り付けられている。
【００４８】
トルクリミッタ２５と同一の第二トルクリミッタ２８が、トルクリミッタ２５に直交してクランプナット２２に収容されている。
【００４９】
さらに、停止バー２９がフレーム１４の前方端部にフレーム１４周囲にカラー３０により固定されて備えられている。
【００５０】
クランプジョー１１の前方端部はオリフィス３２を備えたプラグ３１により閉止されていて、そのオリフィス３２には穴１８用の注油器３３が収容されている。
【００５１】
歯付きホイールと油圧モータとによりボルト１２を駆動するための装置は、その一部をフレーム１４の前方端部に図示してあるが、本発明を構成するものではないので詳述しない。
【００５２】
従って、クランプジョー１１の閉運動は、ボルト１２／ナット１３装置による並進運動に分解され、その並進運動は、このボルト１２によるクランプジョー１１を駆動することによりボルト１２の軸周囲の回転運動に即刻組合わされ、相補手段３の迅速な把持を可能にしていて、一方、並進運動は、閉運動を完了し、そしてクランプジョー１１による積荷用アーム２のフランジに対する相補手段の把持を完了するまで続行される。
【００５３】
クランプジョー１１の開運動は同一の原理を反対して使用していて：それはボルト１２／ナット１３装置による並進により開始され、その並進運動は、クランプジョー１１と相補手段３との間に作用するクランプ力が解除されるとすぐに、相補手段３の係合解除のための回転運動と組合わされたものになっていて、一方並進運動はその移動の終点においてクランプジョー１１の開操作を完了するまで続行される。
【００５４】
前述したように、好適な実施形態における本発明は、ばね式のトルクリミッタ２５，２８を備えている。
【００５５】
より詳しくは、開操作時、調節スピンドル１２が、モータにより歯付きホイール１４を介して回転駆動され、クランプジョー１１を並進運動させる。
【００５６】
相補手段３に作用するクランプジョー１１のクランプトルクが、トルクリミッタ２５，２８のばねにより作用される摩擦力より大きい限り、これらのばねはクランプジョー１１内部を“滑っている”。
【００５７】
クランプジョー１１が十分な力を相補手段３に作用しないと、プッシャ２７がクランプジョー１１の内側に接触し、クランプジョー１１をボルト１２により画成された軸３４周囲で回転させ；停止バー２９における停止板に到達するまでの約２／３回転で結合解除する。
【００５８】
クランプジョー１１の並進運動は、ボルトに着座された針状ころ軸受２３において停止される移動の終点に達するまで続行される。
【００５９】
閉操作に関して、クランプジョー１１に作用されるクランプトルクは、操作開始時点（クランプジョーが開状態）において、理論的にはゼロであって、クランプジョーの回転は迅速であって、トルクリミッタ２５，２８のばねは、プッシャ２７によりクランプジョー１１に摩擦力を作用し回転させるようになっている。
【００６０】
別の実施形態において、トルクリミッタは図３に図示するようなボールとばねとを備えた装置であってもよい。
【００６１】
この場合、クランプジョー１１１の穴１１８は、ボール１４１が係合する溝１４０を提供していて、そのボール１４１は、この目的のために備えられた作動ボルトのクランプナット１２２の横断穴１４３に収容されたばね１４２により押しつけられている。
【００６２】
図１−３を参照して説明したトルクリミッタの数は１−４の範囲である。
【００６３】
本発明のさらに別の実施形態において、トルクリミッタは図４及び５に図示するような摩擦材料を備えた装置であってもよい。
【００６４】
本実施形態において、高摩擦の材料製、例えばゴム製のスリーブ２５０がクランプジョー２１１の穴２１８と、作動ボルトのクランプナット２２２の外表面との間に設置されている。
【００６５】
これらの三つのピースのはめ合いは、大きなトルクを伝達するために密接なものである。
【００６６】
代りに、クランプジョーの内表面が磨耗材料でおおわれていてもよくて、磨耗材料は作動ボルトのクランプナットに直接接触し、摩擦によりクランプジョーの回転を駆動可能にしている。
【００６７】
代りに、クランプナットに収容されそしてばねによりクランプジョーの内側に接触されるようになっているボール（又は逆に、クランプジョーに収容されそしてクランプジョーに収容されたばねにより溝付きクランプナットに接触されているボール）は歯におきかえられてもよくて、その歯は、クランプナットの外周囲に対称に配置され、そしてクランプジョーに機械加工された溝と咬み合い、もしフランジのクランプトルクが十分に小さければクランプジョーを回転駆動していて、従ってトルクリミッタの原理を再現したものとなっている。これらの歯及び溝は、利点のあることに、耐摩耗性の大きな材料で作られている。
【００６８】
装置の構造形状において、クランプジョーにより形成されたナットに作用する作動ボルトの自然摩擦はクランプジョーを回転駆動させるのに十分なものである。
【００６９】
本発明によるカップリングの油圧作用は、前述の特許文献１に開示されたカップリングに使用されたものと同一なものであって：各モジュールの油圧モータが直列に配置されることにより（低圧高流量）、クランプジョーは相補手段に対してどのようなクランプ力をも作用しないようになっており、そして、油圧モータが並列に配置されることにより（高圧低流量）、クランプジョーはクランプ力を作用する場合、力を各モジュール間に均一に分配し、クランプされたフランジのいずれの表面においても均一になっている。
【００７０】
クランプモジュール各々の油圧モータを供給するために、本特許出願に記載した発明の範囲において説明した油圧ブロックは、復元ばねを備えたスライドバルブと、バルブの上流に設置された圧力制限器とを有している。この油圧ブロックは、必要とされる流量と油圧とを提供するようになっていて、前述した直列／並列配置による運転を可能なものにしている。
【００７１】
当然のことであるが、本発明の範囲内において前述したタイプの数個のクランプモジュールを使用することも可能である。
【００７２】
本発明による閉止装置は使用において多くのフレキシビリティを可能にしている。というのはクランプジョーの回転が短時間の間に行なわれ、積荷用アームの操作中において、操作員のためにすぐれた応答性を提供しているからである。
【００７３】
さらに、この新しい装置の応答性により、操作の緊急解除が容易なものになり、緊急解除装置（ＥＫＳ）のないアームに対しても利点のあるものとなっている。
【００７４】
実際、開操作時において、クランプジョーはたったの一〜二秒（好適な実施形態のプッシャがクランプジョーの内表面に接触する時間）で接続されたアームを完全に自由にし、対照的に従来形の閉止装置はこのような係合解除速度を有していない。
【００７５】
摩擦装置によるクランプジョーの回転駆動が妨げられているような場合、クランプナットが停止位置に到達すると、最大トルクをスピンドルに作用することによりクランプジョーを閉位置（図２における実線）に向けて強制回転が行なわれる。
【００７６】
さらに、ボルト／ナット装置は油圧事故時におけるプロセスの不可逆性を可能にしていて、その場合、ジャッキが徐々に油圧動力を作用しなくなり、ボルト／ナット装置は閉位置における所定位置にあって、ほぼ一定のクランプトルクを維持している。
【００７７】
一つのクランプモジュールは広範囲の直径のカップリングに使用することができ、従って、一〜二倍の範囲の合いフランジの厚さの相違に適用することができ、一方特許文献１を参照して前述した油圧原理によるものと同一のクランプ力を保持している。
【００７８】
当然のことであるが、本発明は前述の実施形態に限定されるものではなく、いずれの真実をも含むものである。
【図面の簡単な説明】
【００７９】
【図１】図１は、負荷アームに取り付けられたカップリングの断面図であって、そのカップリングは本発明によるクランプアセンブリと相補的手段とを備えていて、連結状態のものではない。
【図２】図２は、カップリングの正面図であって、クランプジョーの二つの極端な状態を図示している。
【図３】図３は、本発明の別の実施形態によるばねを備えたトルク制限器の断面図であり、縮少スケールで図示してある。
【図４】図４は、摩擦材料を含んでいるトルクリミッタの縦断面図である。
【図５】図５は、摩擦材料を含んでいるトルクリミッタの横断面図（図４の矢視Ｖ−Ｖから見た）である。
【図１】
2007522391.tif 000003
【図２】
2007522391.tif 000004
【図３】
2007522391.tif 000005
【図４】
2007522391.tif 000006
【図５】
2007522391.tif 000007
【国際調査報告】
2007522391.tif 000008
2007522391.tif 000009
2007522391.tif 000010